(57)【要約】【課題】製作、設置が容易であって、内圧が所定圧に達したときに開放する以外は開放状態とならないようにして、誤作動の発生を防いだ信頼性の高いブローアウトパネルを提供する。【解決手段】内圧が所定圧に達したときに内圧を外部に逃す原子力発電プラントのブローアウトパネルにおいて、ブローアウトパネル１は弾性体からなる。弾性体は、ゴム又は粘着フィルムで両面を被覆したゴムである。【選択図】図１
2011017591.tif 000002
【特許請求の範囲】
【請求項１】
内圧が所定圧に達したときに内圧を外部に逃す原子力発電プラントのブローアウトパネルにおいて、前記ブローアウトパネルは弾性体からなることを特徴とするブローアウトパネル。
【請求項２】
前記弾性体は、ゴム又は粘着フィルムで両面を被覆したゴムであることを特徴とする請求項１に記載のブローアウトパネル。
【請求項３】
前記ブローアウトパネルが取り付けられた開口部の外側に、ルーバを備えたことを特徴とする請求項１又は２に記載のブローアウトパネル。
【請求項４】
前記ブローアウトパネルが取り付けられた開口部の内側に、外気の浸入を阻止する逆止弁を備えたことを特徴とする請求項１ないし３のいずれかに記載のブローアウトパネル。
【請求項５】
前記ブローアウトパネルが取り付けられた開口部の外側に、前記ブローアウトパネルが膨張した後に強制的に破断する強制開放装置を備えたことを特徴とする請求項１ないし４のいずれかに記載のブローアウトパネル。
【発明の詳細な説明】
【技術分野】
【０００１】
本発明は、原子力発電プラントにおいて内圧が何らかの事故により上昇した場合にこれを逃すブローアウトパネルに関する。
【背景技術】
【０００２】
原子力発電プラントの建屋内での一次系配管の破断等を想定した場合、破断時に放出される蒸気により建屋内圧が上昇する。このとき、原子炉格納容器に作用する外圧を低減するために、建屋外壁に解放作動するブローアウトパネルが設置されている。この従来のブローアウトパネルには、固定装置が設けられており、特許文献１に開示されている。図５は、その第１の例を示し、（ａ）は閉時の状態を示す図、（ｂ）は開動作後の状態を示す図であり、図６は、第２の例を示し、（ａ）は閉時の状態を示す図、（ｂ）は開動作後の状態を示す図である。
【０００３】
図５に示す例では、鉄製の閉止パネル１１が、建屋壁面に開けられた開口部枠１２に嵌め込まれ、クリップ等で固定することにより、通常時は閉止されている。建屋内の圧力が上昇したときには、閉止パネル１１に圧力がかかり、固定装置１４が破断することにより蝶番１３で支持された閉止パネル１１が開動作し、建屋内の圧力を逃がすことができる。パネル落下防止のため、閉止パネル１１は、上辺が鎖１５等により繋がれている。図６に示す例では、固定装置１４が破断すると、閉止パネル１１が開口部枠１１に設置されたガイドレール１６上をスライドする。閉止パネル１１が停止位置まで平行移動することにより、開口部に間隙が生じるようになっている。
【０００４】
一方、原子力発電プラントの建屋にラプチャディスク型ブローアウトパネルを設置する例が、特許文献２に開示されている。図７は、このラプチャディスク型ブローアウトパネルを示しており、ホルダ２３に挟まれたアルミ製パネル２１にＶ溝２２が切られている。アルミ製パネル２１は、主蒸気管トンネル室の圧力が上昇し、解放設定圧力に達すると破裂する。
【先行技術文献】
【特許文献】
【０００５】
【特許文献１】特開２００９−１２１９１７号公報
【特許文献２】特開昭６３−２２３５９２号公報
【発明の概要】
【発明が解決しようとする課題】
【０００６】
上記した従来の固定装置を設けたブローアウトパネルは、開放が必要なのは、格納容器外で配管破断が発生し建屋内圧が上昇した場合のみであるが、建屋内圧上昇以外の、強風、地震等で生ずる外力により固定装置１４が破断して、誤作動する場合がある。誤作動した場合でも、開放動作後の復旧については、ブローアウトパネルの再設置・固定、開口部の閉止、漏洩試験の実施と、一連の作業に多大な手間と時間が必要となっている。上記従来例では、ブローアウトパネルが解放動作した場合に、測定した建屋内圧により閉止パネル１１に取り付けたワイヤを巻き取るようにしており、速やかに閉止復旧する手段が施されている。しかし、誤作動自体を避ける工夫は特になされていなかった。
【０００７】
また、ラプチャディスク型のブローアウトパネルは、アルミ製パネル２１にＶ溝２２を精度よく切る必要があり、高い加工精度が求められるという課題があった。
本発明は、上述した課題を解決するためになされたものであり、製作、設置が容易であって、内圧が所定圧に達したときに開放する以外は開放状態とならないようにして、誤作動の発生を防いだ信頼性の高いブローアウトパネルを提供することを目的とする。
【課題を解決するための手段】
【０００８】
上記課題を解決するため、本発明のブローアウトパネルは、内圧が所定圧に達したときに内圧を外部に逃す原子力発電プラントのブローアウトパネルにおいて、前記ブローアウトパネルは弾性体からなることを特徴とする。
【発明の効果】
【０００９】
本発明により、製作、設置が容易であって、内圧が所定圧に達したときに開放する以外は開放状態とならないようにして、誤作動の発生を防いだ信頼性の高いブローアウトパネルを実現している。
【図面の簡単な説明】
【００１０】
【図１】本発明の実施形態１に係るブローアウトパネルを示し、（ａ）は閉時の状態を示す図、（ｂ）は建屋内圧力上昇時の状態を示す図、（ｃ）は開動作後の状態を示す図。
【図２】本発明の実施形態２に係るブローアウトパネルを示し、（ａ）は閉時の状態を示す図、（ｂ）は建屋内圧力上昇時の状態を示す図、（ｃ）は開動作後の状態を示す図。
【図３】本発明の実施形態３に係るブローアウトパネルを示し、（ａ）は閉時の状態を示す図、（ｂ）は建屋内圧力上昇時の状態を示す図、（ｃ）は開動作後の状態を示す図。
【図４】本発明の実施形態４に係るブローアウトパネルを示し、（ａ）は閉時の状態を示す図、（ｂ）は建屋内圧力上昇時の状態を示す図、（ｃ）は開動作後の状態を示す図。
【図５】従来の固定装置を設けたブローアウトパネルの第１の例を示し、（ａ）は閉時の状態を示す図、（ｂ）は開動作後の状態を示す図。
【図６】従来の固定装置を設けたブローアウトパネルの第２の例を示し、（ａ）は閉時の状態を示す図、（ｂ）は開動作後の状態を示す図。
【図７】従来のラプチャディスク型のブローアウトパネルを示す図。
【発明を実施するための形態】
【００１１】
本発明に係るブローアウトパネルの実施形態について図面を参照して説明する。
（実施形態１）
図１は、本発明の実施形態１に係る原子力発電プラントの建屋に設けられたブローアウトパネルを示し、（ａ）は閉時の状態を示す図、（ｂ）は建屋内圧力上昇時の状態を示す図、（ｃ）は開動作後の状態を示す図である。
【００１２】
図１において、ゴムのような弾性体で構成したブローアウトパネル１を、建屋壁３の開口部４を塞ぐように固定装置２により固定している。
原子力発電プラントの通常運転時は、空調システム等により建屋内が負圧に保たれていること、及び建屋内圧が上昇する要因が無いことから、図１（ａ）の閉状態となっている。
【００１３】
建屋内での一次系配管の破断等が発生した場合、破断時に放出される蒸気により建屋内圧が上昇する。このことにより材質がゴムであるブローアウトパネル１に建屋内圧がかかることから、図１（ｂ）の建屋内圧力上昇時の状態様にブローアウトパネル１が外部方向に膨らむ状態となる。
【００１４】
更に、建屋内圧が上昇し所定値になると、ブローアウトパネル１の張力が建屋内圧に負けて破断することによりブローアウトパネル１が図１（ｃ）のように開放状態となる。    また、材質がゴムであるブローアウトパネル１は、建屋壁３に固定装置２によって確実に固定されているため、建屋内圧以外の外力によりブローアウトパネル１が開放もしくは落下することが無い。
【００１５】
以上の構成により、本実施形態のブローアウトパネルは、製作、設置が容易であって、建屋内圧が所定圧に達したときには確実に開放することができ、また、建屋内圧が所定圧に達したとき以外には地震等による外力が働いても開放することを防ぐことができる。
【００１６】
ブローアウトパネル１は、弾性体で構成されるが、材質がゴムのみの場合、定期的に交換することで常にその性能が保たれている。しかし、ゴムは、周囲温度の変化や紫外線等により急速に劣化する懼れがある。このため、ブローアウトパネル１を、再生セルロースや合成樹脂製のフィルムに接着剤を全面又はドット状に塗布した粘着フィルムでシート状のゴムの両面を被覆することにより、ゴムの劣化に対する補強を施してもよい。これにより、ブローアウトパネル１の材質であるゴムが劣化し不用意に開放状態になることを防ぐことができる。
また、ブローアウトパネル１を、建屋壁３の開口部４に設置した例を示したが、主蒸気管トンネル室に設置してもよい。
【００１７】
（実施形態２）
図２は、本発明の実施形態２に係るブローアウトパネルを示し、（ａ）は閉時の状態を示す図、（ｂ）は建屋内圧力上昇時の状態を示す図、（ｃ）は開動作後の状態を示す図である。なお、図２において、図１と同一部分には同一符号を付し、その部分の構成について重複する説明は省略する。
【００１８】
本実施形態において、図２に示すとおり、建屋壁３の開口部４に設置された実施形態１のブローアウトパネル１の外側にルーバ５を備えた構成としている。
以上の構成により、本実施形態のブローアウトパネルは、ルーバ５によりブローアウトパネル１に直射日光が差し込むことや小動物等や飛来物等の浸入を防ぐことができる。これにより、紫外線等の有害光の影響を低減し、小動物や飛来物等の異物によるブローアウトパネル１の劣化や直接破損が妨げて、不用意に開放状態となることを防ぐことができる。
【００１９】
（実施形態３）
図３は、本発明の実施形態３に係るブローアウトパネルを示し、（ａ）は閉時の状態を示す図、（ｂ）は建屋内圧力上昇時の状態を示す図、（ｃ）は開動作後の状態を示す図である。図４において、図１，２と同一部分には同一符号を付し、その部分の構成について重複する説明は省略する。
【００２０】
本実施形態は、図３に示すとおり、実施形態２の構成において建屋壁３の開口部４に設置されたブローアウトパネル１の内側に逆止弁６を設けたものである。この逆止弁６は、ルーバ５の無い実施形態１の構成に適用してもよい。
【００２１】
以上の構成により、本実施形態のブローアウトパネルは、ブローアウトパネル１が紫外線等の影響による劣化や小動物等及び飛来物等により直接破損したとしても、ブローアウトパネル１の内側に逆止弁６があることにより、外気の浸入は阻止され、建屋内は空調が正常に機能していて負圧維持がなされる。これにより、不用意に開放状態となることを防ぐことができる。
【００２２】
（実施形態４）
図４は、本発明の実施形態４に係るブローアウトパネルを示し、（ａ）は閉時の状態を示す図、（ｂ）は建屋内圧力上昇時の状態を示す図、（ｃ）は開動作後の状態を示す図である。なお、図４において、図１〜３と同一部分には同一符号を付し、その部分の構成について重複する説明は省略する。
【００２３】
ブローアウトパネル１は、建屋内での一次系配管の破断等が発生して破断口から放出される蒸気により建屋内圧が上昇した場合、設計どおりの圧力で開放しなければならない。万が一、その設計圧力でブローアウトパネル１が開放しない場合がある。
【００２４】
本実施形態は、図４に示すとおり、実施形態３の構成において建屋壁３の開口部４に設置されたブローアウトパネル１の外側に強制開放装置７を備えた構成としている。強制開放装置７は、例えばルーバ５に支持した先端が鋭利な棒体であり、所定位置まで膨らんだブローアウトパネル１を突き破り破断するようにした装置である。強制開放装置７は、逆止弁６の無い実施形態２、及びルーバ５の無い実施形態１の構成に適用してもよい。
【００２５】
以上の構成により、本実施形態のブローアウトパネルは、強制的にゴム又はゴムを粘着フィルムで被覆したブローアウトパネル１を強制開放装置７により開放させ、建屋内圧が所定圧に達したときには開放状態とすることができる。
【符号の説明】
【００２６】
１…ブローアウトパネル、２…固定装置、３…建屋壁、４…開口部、５…ルーバ、６…逆止弁、７…強制開放装置。
【図１】
2011017591.tif 000003
【図２】
2011017591.tif 000004
【図３】
2011017591.tif 000005
【図４】
2011017591.tif 000006
【図５】
2011017591.tif 000007
【図６】
2011017591.tif 000008
【図７】
2011017591.tif 000009